(57)【特許請求の範囲】
【請求項１】
既設の笠木に覆装される笠木カバーであって、
下面が開放され、前記笠木に上側から装着されるカバー本体と、
前記笠木を支持する支持材から外れた位置にそれぞれ配設され、前記カバー本体の両下端部を連結する１以上の連結材と、
前記カバー本体の両内側面と前記笠木の両外側面との間にそれぞれ介設された弾力性を有する一対の側部スペーサーと、を備え、
前記笠木は、前記一対の側部スペーサーにより前後方向に挟持されていることを特徴とする笠木カバー。
【請求項２】
前記カバー本体は、硬質の樹脂で構成され、
前記一対の側部スペーサーは、軟質の樹脂で構成され、
前記カバー本体および前記一対の側部スペーサーは、２色成型により一体に成型されていることを特徴とする請求項１に記載の笠木カバー。
【請求項３】
前記カバー本体は、前記両下端部から内側にそれぞれ突設した一対の補強リブ部を有していることを特徴とする請求項１または２に記載の笠木カバー。
【請求項４】
既設の笠木に覆装される笠木カバーであって、
下面が開放され、前記笠木に上側から装着されるカバー本体と、
前記笠木を支持する支持材から外れた位置にそれぞれ配設され、前記カバー本体の両下端部を連結する１以上の連結材と、
前記カバー本体の天面と前記笠木の上面との間に介設された弾力性を有する上部スペーサーと、を備え、
前記カバー本体は、前記両下端部から内側にそれぞれ突設した一対の補強リブ部を有し、
前記笠木は、前記一対の補強リブ部と前記上部スペーサーとにより上下方向に挟持されていることを特徴とする笠木カバー。
【請求項５】
前記カバー本体は、硬質の樹脂で構成され、
前記上部スペーサーは、軟質の樹脂で構成され、
前記カバー本体および前記上部スペーサーは、２色成型により一体に成型されていることを特徴とする請求項４に記載の笠木カバー。
【請求項６】
前記各補強リブ部は、前記カバー本体の各下端部と共に矩形の中空部を構成していることを特徴とする請求項３ないし５のいずれか一項に記載の笠木カバー。
【請求項７】
前記各連結材は、板材で構成されると共に、前記一対の補強リブ部に対しプッシュリベットを介して締結されていることを特徴とする請求項３ないし６のいずれか一項に記載の笠木カバー。
【請求項８】
請求項１ないし７のいずれか一項に記載の笠木カバーを用い、既設の笠木を改修する笠木の改修方法であって、
定尺のカバー本体を、前記笠木の長さに合わせてカットするカット工程と、
カットした前記カバー本体を、前記笠木に上側から装着する装着工程と、
装着した前記カバー本体に、前記１以上の連結材を締結する締結工程と、を備えたことを特徴とする笠木の改修方法。
【発明の詳細な説明】
【技術分野】
【０００１】
本発明は、改修対象となる既設の笠木に覆装される笠木カバーおよびこれを用いた笠木の改修方法に関するものである。
【背景技術】
【０００２】
従来、手摺の改修工法として、既設の笠木を覆う新笠木と、既設の支柱の内外両側に立設した新支柱とを取り付けるものが知られている（特許文献１参照）。この新笠木は、連結具および連結材を介して、既設の笠木にねじ止め固定されている。
【先行技術文献】
【特許文献】
【０００３】
【特許文献１】特開２００７−１３８６５１号公報
【発明の概要】
【発明が解決しようとする課題】
【０００４】
ところで、笠木の改修では、費用の節約から下地処理を十分行わず塗装を上塗りすることが行われる。この改修方法では、塗装の剥がれ等により凹凸が生じ数回の改修が限度となる。かかる場合、上記改修工法のように、笠木カバーとして上記新笠木を既設の笠木に覆い被せることが考えられる。しかしながら、かかる工法であっても、既設の笠木の側面にねじ穴開け、連結材および連結具をねじ止めし、さらに新笠木を連結材や連結具にねじ止めする必要があるため、改修作業が煩雑であると共に、費用がかさむという問題があった。一方、新笠木を既設の笠木に接着固定することも考えられるが、これでは、十分な取付け強度が得られない。
【０００５】
本発明は、改修作業を容易に行うことができると共に、十分な取付け強度を得ることができる笠木カバーおよびこれを用いた笠木の改修方法を提供することを課題としている。
【課題を解決するための手段】
【０００６】
本発明の笠木カバーは、既設の笠木に覆装される笠木カバーであって、下面が開放され、笠木に上側から装着されるカバー本体と、笠木を支持する支持材から外れた位置にそれぞれ配設され、カバー本体の両下端部を連結する１以上の連結材と、カバー本体の両内側面と笠木の両外側面との間にそれぞれ介設された弾力性を有する一対の側部スペーサーと、を備え、笠木は、一対の側部スペーサーにより前後方向に挟持されていることを特徴とする。
【０００７】
この構成によれば、下面が開放されたカバー本体を既設の笠木に上側から装着した後、連結材によって、カバー本体の両下端部を連結することで、笠木カバーを取り付ける。このように、既設の笠木への穴開け等を必要とせず、笠木カバーを簡単に取り付けることができる。よって、現場での作業を簡易化することができ、改修作業を短期間で容易に行うことができる。また、連結材が、カバー本体の両下端部が拡開するのを抑え込むため、カバー本体による笠木の装着状態を維持することができる。よって、笠木が強固に装着され、十分な取付け強度を得ることができる。
さらに、一対の側部スペーサーにより前後方向で挟持することで、装着したカバー本体が前後方向にガタ付くことが無く、より高い取付け精度を得ることができる。
【０００８】
この場合、カバー本体は、硬質の樹脂で構成され、一対の側部スペーサーは、軟質の樹脂で構成され、カバー本体および一対の側部スペーサーは、２色成型により一体に成型されていることが好ましい。
【０００９】
この構成によれば、２色成型（異材料成型）を用いることで、カバー本体および一対の側部スペーサーを容易に形成することができると共に、高い一体性を得ることができる。
【００１０】
また、カバー本体は、両下端部から内側にそれぞれ突設した一対の補強リブ部を有していることが好ましい。
この構成によれば、曲げに対するカバー本体（両下端部）の強度を向上させることができる。
【００１１】
本発明の他の笠木カバーは、既設の笠木に覆装される笠木カバーであって、  下面が開放され、笠木に上側から装着されるカバー本体と、笠木を支持する支持材から外れた位置にそれぞれ配設され、カバー本体の両下端部を連結する１以上の連結材と、カバー本体の天面と笠木の上面との間に介設された弾力性を有する上部スペーサーと、を備え、カバー本体は、両下端部から内側にそれぞれ突設した一対の補強リブ部を有し、笠木は、一対の補強リブ部と上部スペーサーとにより上下方向に挟持されていることを特徴とする。
【００１２】
この構成によれば、下面が開放されたカバー本体を既設の笠木に上側から装着した後、連結材によって、カバー本体の両下端部を連結することで、笠木カバーを取り付ける。このように、既設の笠木への穴開け等を必要とせず、笠木カバーを簡単に取り付けることができる。よって、現場での作業を簡易化することができ、改修作業を短期間で容易に行うことができる。また、連結材が、カバー本体の両下端部が拡開するのを抑え込むため、カバー本体による笠木の装着状態を維持することができる。よって、笠木が強固に装着され、十分な取付け強度を得ることができる。
さらに、一対の補強リブ部と上部スペーサーとにより上下方向で挟持することで、装着したカバー本体が上下方向にガタ付くことが無く、より高い取付け精度を得ることができる。
【００１３】
この場合、カバー本体は、硬質の樹脂で構成され、上部スペーサーは、軟質の樹脂で構成され、カバー本体および上部スペーサーは、２色成型により一体に成型されていることが好ましい。
【００１４】
この構成によれば、２色成型（異材料成型）を用いることで、カバー本体および上部スペーサーを容易に形成することができると共に、高い一体性を得ることができる。
【００１５】
また、各補強リブ部は、カバー本体の各下端部と共に矩形の中空部を構成していることが好ましい。
【００１６】
この構成によれば、曲げに対するカバー本体（両下端部）の強度を向上させることができる。
【００１７】
さらに、各連結材は、板材で構成されると共に、一対の補強リブ部に対しプッシュリベットを介して締結されていることが好ましい。
【００１８】
この構成によれば、連結材を、工具を必要とせず手作業で取り付けることができるため、笠木カバーをより簡単に取り付けることができ、改修作業をより短期間で容易に行うことができる。
【００１９】
本発明の笠木の改修方法は、上記の笠木カバーを用い、既設の笠木を改修する笠木の改修方法であって、定尺のカバー本体を、笠木の長さに合わせてカットするカット工程と、カットしたカバー本体を、笠木に上側から装着する装着工程と、装着したカバー本体に、１以上の連結材を締結する締結工程と、を備えたことを特徴とする。
【００２０】
この構成によれば、上記の笠木カバーを用いることで、改修作業を容易に且つ精度良く行うことができ、居住者の生活に影響を与えることなく、工事を進めることができる。
【図面の簡単な説明】
【００２１】
【図１】既設のバルコニーを示した模式図である。
【図２】笠木を示した断面図（ａ）および下面図（ｂ）である。
【図３】実施形態に係る笠木に装着した笠木カバーを示した断面図（ａ）および下面図（ｂ）である。
【図４】笠木カバーを示した分解断面図である。
【図５】笠木の改修作業の各工程を示した説明図である。
【発明を実施するための形態】
【００２２】
以下、添付の図面を参照して、本発明の笠木カバーおよびこれを用いた笠木の改修方法について説明する。本実施形態では、既設のバルコニーの手摺に設置する笠木カバーを例に挙げて説明する。そこで、この手摺を説明し、その後、笠木カバーおよび笠木の改修方法について説明する。なお、図中では、バルコニーの幅方向をＸ軸方向とし、バルコニーの奥行き方向をＹ軸方向とし、バルコニーの高さ方向をＺ軸方向とする。また、Ｙ軸方向を、笠木および笠木カバーの前後方向として説明する。
【００２３】
図１に示すように、この手摺１は、左右に配設された一対の支柱１１と、両支柱１１の下部間に架け渡され、パラペットから所定の間隔を存して配設された下桟１２と、下桟１２に所定のピッチで配置した複数の格子（手摺り子）１３と、両支柱１１の上部間に架け渡されると共に、複数の格子１３の上端に支持された笠木１４とで構成されている。なお、壁支持方式の手すりの場合には、下桟１２および笠木１４は、左右の手すり壁に架け渡される。
【００２４】
図２に示すように、笠木１４は、スチール製のチャンネル材で構成されており、天壁部１４ａおよび前後側壁部１４ｂと、前後側壁部１４ｂの両下端部を、９０°内側に曲げた一対の内曲げ部１４ｃと、を一体に有している。よって、全体として、下向きの角型「Ｃ」字状に形成されている。そして、笠木１４は、バルコニーの幅方向に延在していると共に、内部に入り込んだ天壁部１４ａの下面中央で、各格子１３の上端部に支持されている。なお、請求項にいう「笠木を支持する支持材」は、複数の格子１３により構成されている。本実施形態の笠木１４は、スチール製であり、すでに数度の改修により塗装が重ね塗りされ、表面に部分的な塗装の剥れが生じている。そこで、笠木１４に笠木カバー１５を取り付けて、笠木１４を改修する。
【００２５】
ここで図３および図４を参照して、笠木カバー１５について説明する。図３は、笠木１４に装着した笠木カバー１５を示した断面図（ａ）および下面図（ｂ）である。図４は、笠木カバー１５を示した分解断面図である。図３および図４に示すように、笠木カバー１５は、下側が開放され、笠木１４に上側から装着（外嵌）する断面「Ｃ」字状のカバー本体２１と、カバー本体２１の内面に配設された上部スペーサー２２ａおよび一対の側部スペーサー２２ｂと、カバー本体２１の両下端部３１を連結する複数の連結板（連結材）２３と、各連結板２３をカバー本体２１に締結するための各一対のプッシュリベット２４と、を備えている。カバー本体２１を笠木１４に装着し、カバー本体２１に連結板２３を締結することで、笠木カバー１５が、笠木１４に覆装される。
【００２６】
カバー本体２１は、天壁部２１ａと前後側壁部２１ｂとを有し、全体として下向きの断面「Ｃ」字状に形成されている。そして、カバー本体２１は、笠木１４に沿って、バルコニーの幅方向に延在している。すなわち、カバー本体２１は、笠木１４全域に亘って配設され、笠木１４の天面および側面を覆っている。また、カバー本体２１は、硬質の樹脂（例えば、硬質のポリ塩化ビニル）により構成されており、後述の両下端部３１の拡開を許容する弾性（弾性率）を有している。なお、カバー本体２１は、各支柱１１との間に、遊びを生じるようにカットされる。
【００２７】
また、カバー本体２１は、前後側壁部２１ｂの両下端部３１（図３、４中の点線部）に、その内側にそれぞれ突設した一対の補強リブ部３２と、当該両下端部３１の下方にそれぞれ延在した一対のガイドリブ部３３と、を有している。一対の補強リブ部３２は、カバー本体２１の両下端部３１と共に、上下２分した矩形の中空部を構成している。すなわち、一対の補強リブ部３２は、当該中空部を有した中空リブである。また、各補強リブ部３２の下壁には、プッシュリベット２４を挿通するためのリベット貫通孔３２ａが形成されている。すなわち、各補強リブ部３２の下壁が、プッシュリベット２４の締結領域（フランジ）となる。また、各補強リブ部３２の上面は、笠木１４の内曲げ部１４ｃに当接しており、天壁部２１ａと供して、笠木１４を上下方向で挟み込むように形成されている。
【００２８】
一対のガイドリブ部３３は、それぞれ各連結板２３の前後端面に面して配設されており、締結時の各連結板２３をガイドする。すなわち、当該一対のガイドリブ部３３が、各連結板２３締結時の位置合せに寄与する。
【００２９】
上部スペーサー２２ａは、カバー本体２１の天面に並んで設けられ、当該天面と笠木１４の上面との間に介設された２個の上部スペーサーパッド３６から成る。一方、一対の側部スペーサー２２ｂは、カバー本体２１の両内側面にそれぞれ並んで設けられ、当該両内側面と笠木１４の両外側面との間にそれぞれ介設された各２個の側部スペーサーパッド３７から成る。各スペーサーパッド３６、３７は、カバー本体２１に沿って延在した半円管状に形成されており、カバー本体２１の延在方向全域に亘って配設されている。また、各スペーサーパッド３６、３７は、軟質の樹脂（例えば、軟質のポリ塩化ビニル）により構成されており、弾力性を有している。笠木１４は、一対の補強リブ部３２と潰れるように変形した上部スペーサー２２ａとにより上下方向に挟持され、同様に潰れるように変形した一対の側部スペーサー２２ｂにより前後方向に挟持されている。なお、カバー本体２１と、上部スペーサー２２ａおよび一対の側部スペーサー２２ｂ（各スペーサーパッド３６、３７）とは、２色押出成型により一体に成型されている。
【００３０】
複数の連結板２３は、格子１３から外れた位置に、カバー本体２１の延在方向に所定のピッチ（例えば、３本の格子１３に対し１枚のピッチ）でそれぞれ配設されており、当該各位置において両下端部３１を連結している。各連結板２３は、長方形のアルミ板であり、前後両端部には、プッシュリベット２４を挿通するための一対のリベット挿通孔２３ａが形成されている。一対のリベット挿通孔２３ａは、笠木カバー１５の一対のリベット貫通孔３２ａに対応する位置に形成されており、各連結板２３は、一対の補強リブ部３２に対しプッシュリベット２４を介して締結されている。すなわち、複数の連結板２３は、一対の補強リブ部３２を介して、両下端部３１を連結している。
【００３１】
図４に示すように、各プッシュリベット２４は、ピン挿入孔４７と拡開する脚部４８を有したリベット本体４１と、ピン挿入孔４７に挿入される挿入ピン４２と、を備えている。リベット本体４１は、円柱状の本体部４６と、本体部４６に形成されたピン挿入孔４７と、ピン挿入孔４７の先端側に配設された脚部４８と、本体部４６の後端外周に形成され、連結板２３の表面に突き当てるフランジ状の突当て部４９と、を有している。挿入ピン４２をピン挿入孔４７に入れ込み、挿入ピン４２が脚部４８に当接した状態で、挿入ピン４２をさらに押し込むことで、脚部４８を拡開させる。これによって、プッシュリベット２４がかしめ状態となる（図３参照）。すなわち、プッシュリベット２４を、リベット挿通孔２３ａおよびリベット貫通孔３２ａに挿通した状態とし、且つ突当て部４９を連結板２３の表面に突き当てた状態で、連結板２３に位置規制されたリベット本体４１に対し挿入ピン４２を押し込むことで、脚部４８を変形させ、カバー本体２１と連結板２３とをリベット締結する。このように、プッシュリベット２４は、工具レスの手作業のみで使用可能であり、且つ表面側からの作業（押し込み）のみで使用可能なリベットである。
【００３２】
次に図５を参照して、笠木カバー１５を用い、既設の笠木１４を改修する改修方法について説明する。図５は、当該改修方法における笠木１４の改修作業の各工程を示した説明図である。図５に示すように、まず、作業者は、定尺のカバー本体２１を、笠木１４の長さに合わせてカットする（Ｓ１：カット工程）。次に、カットしたカバー本体２１を笠木１４に上側から装着（外嵌）する（Ｓ２：装着工程）。具体的には、カバー本体２１を一度拡開させ、上側から笠木１４に嵌め込んだ後、拡開を解除する。これによって、各スペーサーパッド３６、３７を介して、笠木１４がカバー本体２１の前後側壁部２１ｂに挟み込まれると共に、笠木１４がカバー本体２１の天壁部２１ａと両補強リブ部３２に挟み込まれる。すなわち、カバー本体２１が、前後方向および上下方向で、笠木１４を挟み込む状態となる。
【００３３】
カバー本体２１を笠木１４に装着したら、プッシュリベット２４により、装着したカバー本体２１に、複数の連結板２３をリベット締結する（Ｓ３：締結工程）。具体的には、両リベット挿通孔２３ａと両リベット貫通孔３２ａとが一致するように、連結板２３を、カバー本体２１にあてがい（位置合せし）、一対のプッシュリベット２４を、一対のリベット貫通孔３２ａおよび一対のリベット挿通孔２３ａにそれぞれ挿通した後、各プッシュリベット２４の挿入ピン４２を押し込んで、各プッシュリベット２４をかしめる。これによって、本改修作業を終了する。
【００３４】
以上のような構成によれば、既設の笠木１４への穴開け等を必要とせず、笠木カバー１５を簡単に取り付けることができる。よって、現場での作業を簡易化することができ、改修作業を短期間で容易に行うことができる。また、連結板２３が、カバー本体２１の両下端部３１が拡開するのを抑え込むため、カバー本体２１による笠木１４の装着状態を維持することができる。よって、笠木１４が強固に装着され、十分な取付け強度を得ることができる。
【００３５】
また、一対の補強リブ部３２を有することにより、曲げに対するカバー本体２１の強度を向上させることができる。
【００３６】
さらに、各補強リブ部３２と連結板２３とをプッシュリベット２４を介して締結することにより、連結板２３を、工具を必要とせず手作業で取り付けることができるため、笠木カバー１５をより簡単に取り付けることができ、改修作業をより短期間で容易に行うことができる。
【００３７】
またさらに、笠木１４を、一対の補強リブ部３２と上部スペーサー２２ａとにより上下方向で挟持することで、装着したカバー本体２１が上下方向にガタ付くことが無く、より高い取付け精度を得ることができる。
【００３８】
また、笠木１４を、一対の側部スペーサー２２ｂにより前後方向で挟持することで、装着したカバー本体２１が前後方向にガタ付くことが無く、より高い取付け精度を得ることができる。
【００３９】
さらに、カバー本体２１、上部スペーサー２２ａおよび一対の側部スペーサー２２ｂを、２色成型により一体に成型することで、カバー本体２１および各スペーサー２２ａ、２２ｂを容易に形成することができると共に、高い一体性を得ることができる。
【００４０】
なお、本実施形態においては、プッシュリベット２４を用いて、カバー本体２１の両下端部３１（補強リブ部３２）と連結板２３とを締結する構成であったが、これに限るものではなく、例えば、締結部材として、プッシュリベット２４以外のリベットを用いて締結する構成であっても良いし、ねじやボルトを用いて締結する構成であっても良い。なお、工具レスで締結可能な締結部材を用いることが好ましい。また、表面側からの作業のみで締結可能な締結部材を用いることが好ましい。さらに、笠木カバー１５の交換が必要である場合には、取り外し可能な締結部材を用いることが好ましい。
【００４１】
また、本実施形態においては、笠木カバー１５が、既設の笠木１４における外面の損傷に対しこれを改修すべく当該笠木１４を覆うものであるが、笠木カバー１５が、笠木１４の外観を装飾する装飾カバーであっても良いし、笠木１４を保護する保護カバーであっても良い。
【００４２】
さらに、本実施形態においては、複数の連結板２３を用いて、両下端部３１を連結する構成であったが、単一の連結板２３を用いて、両下端部３１を連結する構成であっても良い。また、連結板２３の形状についても長方形に限らず、例えば、格子１３を挿通する挿通開口と、挿通開口の側方（Ｙ軸方向）に連なり、連結板２３を側方から入れ込んで格子１３を挿通開口に相対的に導く着脱スリットと、を有した櫛歯状の連結板２３を用いても良い。
【００４３】
またさらに、本実施形態において、カット工程（Ｓ１）を現場作業で行うか、現場外（例えば工場等）で行うか、について言及しなかったが、現場作業で行っても良いし、現場外で行い、カットした笠木カバー１５（厳密には、カバー本体２１）を現場に持ち込んでも良い。前者であれば、笠木１４の長さをその場で測定し、その場で改修作業を行うことができるため、一連の作業をスムーズに行うことができるという利点がある。一方、後者であれば、切断工具すら現場に持ち込む必要がない上、現場作業を極力なくすことができるという利点がある。
【符号の説明】
【００４４】
１３：格子、  １４：笠木、  １５：笠木カバー、  ２１：カバー本体、  ２２ａ：上部スペーサー、  ２２ｂ：側部スペーサー、  ２３：連結板、  ２４：プッシュリベット、  ３２：補強リブ部
【図１】
0005793001.tif 000002
【図２】
0005793001.tif 000003
【図３】
0005793001.tif 000004
【図４】
0005793001.tif 000005
【図５】
0005793001.tif 000006